(57)【要約】【課題】ブラジャー、および、１枚の未処理布から、縫い目のない２つの円形ニット地２層ブラジャーを製造する方法【解決手段】本発明は、１枚のニット編み管状未処理布（１０）の製造方法と、これにより製造された未処理布および製品とに関する。この方法は、各々が第１の層（１６）と第２の層（１８）を有する２つの円形のニット編みブラジャー（６０）を提供するため、これにより、製造処理の工程を最小化することができる。
2005526918.tif 000002
【特許請求の範囲】
【請求項１】
一体型の円形にニット編みした未処理布であって、
胴包囲形状を有する範囲と、
内層と外層とを有し、これら内層と外層とは、第１のニット編み込み固定胸バンドによって接続されている、第１の胴包囲部分と、
内層と外層とを有し、これら内層と外層とは、第２のニット編み込み固定胸バンドによって接続されている、第２の胴包囲部分とを具備し、
前記第１並びに第２の胴包囲部分は、編み込んだ接続材料によって接続されており、この接続材料は、前記編み込み固定胸バンドの反対側に配置されている、一体型の円形にニット編みした未処理布。
【請求項２】
前記第１の固定胸バンドの付近の第１の折り線と、前記第２の固定胸バンドの付近の第２の折り線とをさらに具備する、請求項１に記載の一体型の円形にニット編みした未処理布。
【請求項３】
前記第１並びに第２の折り線は、前記第１並びに第２の固定胸バンド付近の範囲に織糸を追加することで形成されている、請求項２に記載の一体型の円形にニット編みした未処理布。
【請求項４】
前記接続材料は、前記第１並びに第２の胴包囲部分をニット編みしている最中に保持されるニットループを移動することで形成されている、請求項１に記載の一体型の円形にニット編みした未処理布。
【請求項５】
前記接続材料は、１枚の編み込み層である、請求項１に記載の一体型の円形にニット編みした未処理布。
【請求項６】
前記未処理布は、前記接続材料を取り除くことで、２つのブラジャー未処理布に分離可能である、請求項１に記載の一体型の円形にニット編みした未処理布。
【請求項７】
前記第１の胴包囲部分内層と第２の胴包囲部分内層とは、プレーン、ニット、ミス、タック、およびこれらの任意の組み合わせからなる群から選択される１つ以上のニットステッチを使用して形成されている、請求項１に記載の一体型の円形にニット編みした未処理布。
【請求項８】
前記第１の胴包囲部分内層と第２の胴包囲部分内層とは、綿、ナイロン、スパンデックス、およびこれらの任意の組み合わせからなる群から選択される１つ以上の織糸で形成されている、請求項１に記載の一体型の円形にニット編みした未処理布。
【請求項９】
前記第１の胴包囲部分内層と第２の胴包囲部分内層とは、約２０から約１２０デニールの織糸で形成されている、請求項１に記載の一体型の円形にニット編みした未処理布。
【請求項１０】
前記第１の胴包囲部分内層と第２の胴包囲部分内層とはテリーループ構造を有する、請求項１に記載の一体型の円形にニット編みした未処理布。
【請求項１１】
前記第１の胴包囲部分外層と第２の胴包囲部分外層とは、ポリマ、エラストマ、およびこれらの任意の組み合わせからなる群から選択される１つ以上の織糸で形成されている、請求項１に記載の一体型の円形にニット編みした未処理布。
【請求項１２】
前記第１の胴包囲部分外層と第２の胴包囲部分外層とは、約１０から約２００デニールの織糸で形成されている、請求項１に記載の一体型の円形にニット編みした未処理布。
【請求項１３】
前記第１の胴包囲部分外層と第２の胴包囲部分外層とは、プレーン、ニット、ミス、タック、およびこれらの任意の組み合わせからなる群から選択される１つ以上のニットステッチを使用して形成されている、請求項１に記載の一体型の円形にニット編みした未処理布。
【請求項１４】
前記第１の内層と第２の内層とは、サポート範囲を備えており、このサポート範囲は、ステッチ長さを短縮することにより形成されている、請求項１に記載の一体型の円形にニット編みした未処理布。
【請求項１５】
前記範囲は、折り返した補強部分である、請求項１に記載の一体型の円形にニット編みした未処理布。
【請求項１６】
胴包囲形状を有する一体型の円形にニット編みした未処理布を形成する方法であって、この方法は、
第１の編み込み固定胸バンドによって接続された内層と外層とを有する第１の胴包囲部分をニット編みする工程と、
第２の編み込み固定胸バンドによって接続された内層と外層とを有する第２の胴包囲部分をニット編みする工程と、
接続材料をニット編みする工程とを具備し、この接続材料は、前記第１並びに第２の編み込み固定胸バンドとは反対側に配置されており、前記接続材料は、前記第１並びに第２の胴包囲部分をニット折りしている最中に保持されたニットループを移動することで形成される、方法。
【請求項１７】
胴を包囲する形状を有する、１枚の一体型の円形にニット編みした未処理布から１対の２層ブラジャーを形成する方法であって、この方法は、
第１の編み込み固定胸バンドによって接続された内層と外層を有する第１の胴包囲部分をニット編みする工程と、
第２の編み込み固定胸バンドによって接続された内層と外層を有する第２の胴包囲部分をニット編みする工程と、
接続材料をニット編みする工程とを具備し、この接続材料は、前記第１並びに第２の編み込み固定胸バンドとは反対側に配置されており、前記接続材料は、前記第１並びに第２の胴包囲部分をニット折りしている最中に保持されたニットループを移動することで形成され、
前記第１の胴包囲部分の内層および外層を共に折り込む工程と、
前記第２の胴包囲部分の内層および外層を共に折り込む工程とをさらに具備する方法。
【請求項１８】
首ラインとアームホールを画定する２本の右ストラップ部分と２本の左ストラップ部分を形成するために、前記第１の胴包囲部分の範囲と、さらに、首ラインとアームホールを画定する２本の右ストラップ部分と、２本の左ストラップ部分を形成するために、前記第２の胴包囲部分の範囲とを切断および取り除く工程と、
前記１および第２の胴包囲部分の前記２本の右ストラップ部分を、その末端部にて結合し、また、前記第１並びに第２の胴包囲部分の前記２本の左ストラップ部分を、その末端部にて結合する工程と、
前記編み込んだ接続材料に沿って、前記第２の胴包囲部分から前記第１の胴包囲部分を分離する工程とをさらに具備する、請求項１７に記載の１対の２層ブラジャーを形成する方法。
【請求項１９】
１枚の一体型の円形にニット編みした未処理布から形成した１対の２層ブラジャーであって、
内層と外層とを有し、これら内層と外層は、第１のニット編み込み固定胸バンドによって結合されている、第１の胴包囲部分と、
内層と外層とを有し、これら内層と外層は、第２のニット編み込み固定胸バンドによって結合されている、第２の胴包囲部分とを具備し、
前記第１並びに第２の胴包囲部分は、編み込んだ接続材料によって結合されており、この接続材料は、前記編み込み固定胸バンドの反対側に配置されており、前記１対のブラジャーは、前記接続材料に沿って切断することにより、前記未処理布から分離可能であり、
前記第１の胴包囲部分は、前記ブラジャーの対の第１のブラジャーを形成し、さらに、
前記第２の胴包囲部分は、前記ブラジャーの対の第２のブラジャーを形成する、一体型の円形にニット編みした未処理布。
【請求項２０】
前記ブラジャーの対のうち少なくとも１つのブラジャーは、前記内層と外層のうち少なくとも１つの上にテリーループステッチ構造を有する、請求項１９に記載のブラジャー。
【請求項２１】
前記ブラジャーの対のうち少なくとも１つは、少なくとも１つのサポート範囲を有する、請求項１９に記載のブラジャー。
【請求項２２】
前記少なくとも１つのサポート範囲は、短縮されたステッチを有する、請求項１９に記載のブラジャー。
【請求項２３】
前記ブラジャーの各々は、前記固定胸バンドの付近に折り線を有する、請求項１９に記載のブラジャー。
【請求項２４】
前記折り線は、前記固定胸範囲付近の範囲に織糸を追加することで形成されている、請求項２３に記載のブラジャー。
【請求項２７】
前記接続材料は、１枚の編み込み層である、請求項１９に記載のブラジャー。
【請求項２６】
前記第１の胴包囲部分内層と前記第２の胴包囲部分内層とは、プレーン、ニット、ミス、タック、およびこれらの任意の組み合わせからなる群から選択される１つ以上のニットステッチを使用して形成されている、請求項１９に記載のブラジャー。
【請求項２７】
前記第１の胴包囲部分内層と前記第２の胴包囲部分内層とは、綿、ナイロン、スパンデックス、およびこれらの任意の組み合わせからなる群から選択される１つ以上の織糸で形成されている、請求項１９に記載のブラジャー。
【請求項２８】
前記第１の胴包囲部分外層と第２の胴包囲部分外層とは、ポリマ、エラストマ、およびこれらの任意の組み合わせからなる群から選択される１つ以上の織糸で形成されている、請求項１９に記載のブラジャー。
【請求項２９】
前記第１の胴包囲部分外層と第２の胴包囲部分外層とは、プレーン、ニット、ミス、タック、およびこれらの任意の組み合わせからなる群から選択される１つ以上のニットステッチを使用して形成されている、請求項１９に記載のブラジャー。
【発明の詳細な説明】
【技術分野】
【０００１】
本発明は、１枚の未処理布から２つのブラジャーを製造する方法と、この方法を用いて製造したブラジャーとに関する。より詳細には、本発明は、１枚の未処理布内に、独立した２つの、一体型のニット編みした縫い目のない２層ブラジャーを、縫い目のない１枚の円筒形織地ブラ未処理布を製造する方法に関する。本方法は、未処理布の形成の最中における製造プロセスの工程を最小化する。さらに、本方法は、１枚の未処理布で、同時に２枚の２層ブラジャーをニット編みすることで製造時間を短縮する。
【０００２】
ブラジャー未処理布が第１の部分を有しているか、または、ブラジャーが、円筒形状の未処理布に形成された布地の内層と外層の両方を有している。第１の部分は、第２の部分またはブラジャーの頂縁と縫い目なく結合しており、さらに、同じ円筒形状の未処理布に形成した内部布地層と外部布地層を有している。
【背景技術】
【０００３】
２層ブラジャーを製造する上で、一般に円筒形状の未処理布を使用することが知られている。例えば、Ｂｒｏｗｄｅｒ、Ｊｒ．による米国特許第６，１２５，６６４号、「ＢＲＡＳＳＩＥＲＥ，ＢＲＡＳＳＩＥＲＥ  ＢＬＡＮＫ  ＡＮＤ  ＭＥＴＨＯＤＳ  ＯＦ  ＭＡＫＩＮＧ  ＳＡＭＥ（ブラジャー、ブラジャー未処理布、およびその製造方法）」は、１つの２層ブラジャーを形成するための円筒形状の未処理布の使用を記述している。未処理布の形成後に、未処理布の中間部分に補強バンドがニット編みされる。次に、下方胴部分が、補強バンドの上へと引き上げられ、上方胴部分と揃えられる。こうして、縫製およびニット編みによって１つの２層ブラジャーが形成される。
【発明の開示】
【発明が解決しようとする課題】
【０００４】
本発明の目的は、１枚の未処理布から２つの２層円形ニット編みブラジャーを製造する方法を提供することである。
【０００５】
本発明の別の目的は、２つの２層円形ニット編みブラジャーを製造することができる、４層を含む１枚の未処理布を提供することである。
【０００６】
本発明のさらに別の目的は、２枚の外層の各々を、ブラジャーの内層の各々の上へと折るための２本の折り線を有する、１枚の未処理布を提供することである。
【０００７】
本発明のまた別の目的は、各々が外側からは見えないで隠れた固定胸バンドを有する、２つの円形ニット編みブラジャーを形成するための未処理布を提供することである。
【０００８】
本発明のまたさらに別の目的は、一体的にニット編みしたサポート要素または特徴が内部布地層上に離散配置されている、２つの別個の２層ブラジャー服地を含んだ未処理布を提供することである。詳細には、これは胸カップどうしの間の中心ゴア範囲にあり、また、胸カップの下の範囲、および胸カップを包囲する範囲を含む。
【０００９】
本発明のさらなる目的は、少なくともブラジャーのライニング層内、または、ブラジャーの外層と内層の間にニット編みした、モックテリーまたはトルーシンカによるテリーループステッチ構造を有する、２層円形ニット編みブラジャーを製造する方法を提供することである。
【００１０】
本発明のまたさらなる目的は、内部布地層上、または所望であれば、内層と外層の間に配置した胸カップの下に弧状のアンダーワイヤサポートを提供することである。
【課題を解決するための手段】
【００１１】
本発明のこれらの、またはこれ以外の目的および利点は、本発明による方法によって達成される。この方法は、円形ニット編み装置上で２つのブラジャーを作成するために使用する１枚の未処理布を形成する。この方法は、材料の内層を形成することと、内層材料の未処理布の両端に固定胸バンドを形成することと、各々のバンドと一体的にニット編みされ、該バンドから延びている外層材料部分を形成することと、１枚の未処理布内に２つの２層ブラを含む、折り返した２つの補強部分の各々のニット編みを完了させる最中に、保持ループを移動することによって形成されるステッチラインによって、胸固定バンドの反対側にあたる外部材料の縁を内層と結合させることを含む。
【００１２】
さらに、未処理布は、内層、外層、隠れた胸固定バンドを各々具備した２つの上方胴部分を有する状態で提供される。各部分の外層の固定胸バンド付近には、折り線が設けられている。隠れた固定胸バンドの反対側にあたる外部布地層の縁は、内層と一体的にニット編みされている。２つの別個の上方胴２層部分は、連続的にニット編みされ、内層材料または外層材料のいずれかの単層と接続されている。１枚の未処理布は、接続された２つの２層ブラジャーとして完全に組合された状態で、円形ニット編み装置から排出される。
【００１３】
上述した、およびこれ以外の本発明の目的、利点、利益は、以降に示す詳細な記述と、添付の図面を参照することで理解されるだろう。
【発明を実施するための最良の形態】
【００１４】
図面を参照すると、特に図１中で、本発明の第１の実施形態による未処理布全体を参照符号１０で示している。未処理布１０は、円筒形状に形成されている。
【００１５】
この未処理布１０は、円形のニット編み装置上に形成することが好ましい。円形ニット編み装置は、コンピュータ制御された電子針と、織糸供給選択システム、例えばイタリアのブレシア（Ｂｒｅｃｉａ，Ｉｔａｌｙ）に在るＳａｎｔｏｎｉ（登録商標）社製の円形ニット編み装置、モデルＮｏ．ＳＭ８−８、またはＳＭ８−８３を装備していることが好ましい。一般に、未処理布１０は、製造時に２つの２層ブラジャーの部分に関連する、４層を有する円筒形のチューブである。
【００１６】
未処理布１０は、第１の上方胴２層部分１２と、第２の上方胴２層部分１４を含む。上方胴２層部分１２と上方胴２層部分１４は、内側または外側の１層材料の範囲２４によって縫い目なく結合されている。
【００１７】
第１の上方胴部分１２の２層には、好ましくは１層のバンドである固定胸部バンド２０によって分離された、内層または材料層１６と、外側層または材料層１８が含まれる。好ましくは、折り線３４が、外側材料層１８内のバンド２０付近に形成されている。形成の完了の最中、および第１の折り返し補強部分の閉鎖の最中に、１層のバンド２０と対向した部分にあたる外層１８の縁が、内層１６のステッチライン２２に縫われる。第２の上方胴部分１４は、第２の固定胸部バンド３０によって分離された、材料の内層２６と材料の外層２８を有している。好ましくは、折り線３６が、外側材料層２８の胸部固定バンド３０付近に形成されている。第２の折り返し補強部分形成の終了の最中に、バンド３０と対向した位置にある外層２８の縁が、内層２６の、ステッチライン３２に一体的に縫われている。
【００１８】
未処理布１０は、円形ニット編み装置によって製造され、図１に示すように、組み合わせが完了するとニット編み装置から排出される。さらなる未処理布１０の組み合わせ動作、または手作業の折り畳み動作は不要である。円形ニット編み装置上で、２つの２層ブラジャーの製造に使用する１枚の未処理布を形成する方法では、材料の内層を形成することと、内層材料の両端部に固定胸部バンドを形成することと、各々の固定胸部バンドから延びた外層材料部分を形成することと、外側材料の縁と反対側に隠れている方の固定胸部バンドを、ニット編みの最中に相互に接続した２つの別個の長く折り返した補強部分、またはブラジャーの形成を完了する間に、保持したループを移動することで作成したステッチラインによって、内層と結合することを含む。長く折り返した補強部分の各々は、１つの２層ブラジャーを含み、また、一体的にニット編みされて１枚の未処理布を形成している。
【００１９】
この工程で、未処理布１０は、染色、仕上げ、および／または、２つの２層円形ニットブラジャーを形成するべく拡張するといったさらなる製造工程を施せる状態にある。この製造工程は、円形ニット編み装置から排出された、完全に組み合わせた未処理布１０を用いて完了するか、あるいは、未処理布の上方部分１２、下方部分１４を、内側材料の隙間２４を除去して分離することができる。未処理布１０の上方部分１２、下方部分１４に対して最大数の製造工程を実施することで、各々のブラジャーの取り扱いおよび製造コストを低減することが好ましい。
【００２０】
内層１６、２６は、ブラジャーの内層に適した材料から成り、このような内層１６、２６は、柔軟性、快適性、芯となる性質から選択した織糸で形成されることが好ましい。身体の快適性および装用者のサポートを提供するために、内層１６、２６は、プレーンステッチ、ニットステッチ、ミスステッチ、またはタックステッチの１つまたは任意に組み合わせたステッチを備える織糸を含んでいる。ミスステッチは、フロートステッチとしても知られている。内層１６、２０は、約２０から約１２０デニールの比較的高い細デニールフィラメントまたはマイクロファイバを有するニット編みナイロンか、または、綿番手が約４０／１から約６０／１の範囲内の綿のようなスパンヤーンのいずれかで製造されることが好ましい。このような織糸により、柔軟で、快適で、望ましい湿度を備えた芯性質を提供する。さらに、内部織物層１６、２６は、スパンデックスのような弾性のある伸縮織糸を、前述のナイロンまたは綿の非伸縮性織糸と組み合わせて形成されている。
【００２１】
外部織物層１８、２８は、内部織物層１６、２６と同一の、またはこれとは異なる織糸組み合わせおよび構造を設けることができる。
【００２２】
２つのブラジャーの各々の内部織物層を形成する内層１６、２６のニット地構造は、従来のニットステッチ、例えばプレーンステッチ、ニットステッチ、ミスステッチ、タックステッチと、装用者の快適性を増加するために、サポートまたは持ち上げ性質、湿度のある芯性質の両方を提供するべく方策的に設計した範囲に追加した、潜在的または追加の織糸またはニット構造、例えばテリーループで製造したトルーシンカとの任意の組み合わせであってよい。このような方策的範囲とは、例えば、胸カップの下や、または胸カップどうしに位置する中心に集中したパネル範囲のことである。
【００２３】
外層１８、２８は、それぞれのブラジャーの外層に適した材料を含む。外層１８、２８は、連続的な合成マルチフィラメントフラット、またはニット編みポリマ、あるいはスパンヤーンから成ることが好ましい。さらに、外層１８、２８も、ニット編みされたマルチフィラメントナイロン織糸で被覆した、ベアスパンデックスまたはスパンデックスのようなエラストマ織糸を備えることが好ましい。織糸の組み合わせにより、綿番手が約４０／１から約６０／１の範囲内の綿や、あるいは、約１０から約２００デニールの範囲内、好ましくは約６０から約１２０デニールのナイロンといった、連続的な合成マルチフィラメントフラットあるいはニット編み織糸のようなスパンヤーンを含んだ織地を形成する。
【００２４】
各ブラジャーの外層１８、２８は、１つまたは任意の組み合わせのニットステッチを使用して、円形ニット織装置上で形成される。このようなステッチには、プレーンステッチ、ニットステッチ、ミスステッチ、またはタックステッチが含まれるが、しかし、これらに限定されるものではない。外部織物層１８、２８は、平坦な外観、または任意で独特な美的および識別可能な編み込み特徴を有することができ、編み込み特徴には、ジャガードパターンデザイン、幾何学、様式化したロゴ、抽象的、またはこれ以外の設計あるいはパターン、例えば花柄が含まれるが、しかしこれらに限定されるものではない。
【００２５】
さらに、内層１６、２６は、各ブラジャーの形状の輪郭を描くパターニング（図示せず）を含んでもよい。このパターニングは、ブラジャーの、胸カップ、首ラインおよび／またはストラップのような、裁断および形成するべき部分を画定する。
【００２６】
胸カップどうしの間の中心ゴア範囲、胸カップの下にあたる範囲、カップを包囲している下方範囲も、快適性に加え、さらなるサポート、成形を装用者に提供するために、離散配置的に設計した短い伸縮範囲としてニット編みすることが可能である。
【００２７】
固定胸バンドは、外部材料層１６、２６よりも高密度の材料を含む補強バンド２０、３０であることが好ましい。外部材料層１６、２６の折り線が、胸固定バンド２０、３０付近に配置されている。例えば、第１の上方胴部分１２は、第１の単層固定胸バンド２０付近に、外層材料１８用の折り線３４を設けている。例えば、第２の上方胴部分１４は、第２の単層胸バンド３０付近に、外層材料２８用の折り線３６を設けている。折り線３４、３６により、各底部に直線の平滑な縁を備えたブラジャーが得られる。折り線３４、３６は、技術上知られている任意の方法、例えば、例証の方法により、折り畳み範囲に編み目を追加する、または折り畳み範囲で編み目を落とすことで形成できる。
【００２８】
本発明の別の実施形態では、固定胸バンド２０、３０は、円形ニット編みプロセス中に、さらに高密度のデニールのベアスパンデックスエラストマ織糸、また、好ましくはないが、ナイロン被覆したスパンデックス織糸を追加して、補強バンド２０、３０部分の織密度を、内層１６、２６、外層１８、２８を形成するために使用した織物および織糸の密度よりも高くすることによっても形成することができる。単層の固定胸バンド２０、３０は、本質的に長く折り返した補強２層ブラの両方の内層内部に含まれる。これに加え、補強バンド２０、３０は、下着であるブラの外層によって見えないように隠すことができる。
【００２９】
２つの２層ブラジャーを形成することが可能な、４枚の材料層から成る１枚の未処理布を製造することで、製造プロセスにおいて効率性が増加し、コスト節約が可能になる。この製造プロセスにより、２つの２層円形ニット編みブラジャーを形成するべくさらに製造処理を施すことができる、第１の上方胴部分１２と第２の上方胴部分１４を含んだ単層未処理布１０が出来上がる。１枚の未処理布１０の取り扱いにより、取り扱いおよび製造コストが削減される。
【００３０】
未処理布１０を、その形成後に円形ニット編み装置から取り外すが、この後、この未処理布を、ニット編み、染色、仕上げ、および／または拡張の工程によってさらに処理することができる。１枚の未処理布１０を取り扱うことで、分離することなく染色が行えるため、さらなるコスト低減が可能である。
【００３１】
１枚の未処理布１０から２つのブラジャーを形成する製造工程について、第１の上方胴部分１２を用いて説明する。第２の上方胴部分１４にも類似の製造工程を実施して、第２のブラジャーを形成する。
【００３２】
次に、図２から図４を参照すると、図４に示すブラジャー６０は、図２、図３に示す上方部分またはブラジャー１２から形成できる。外層１８を上方部分の内層１６と結合して、ブラジャー６０を形成することができる。外層１８は、ブラジャー６０の胸カップ４０、ストラップ４２、４４、首ラインを画定するパターニングを備える。外層１８上のパターニングは、ブラジャー６０のアームホール６２、６４を画定するべく、外部取り外し可能部分４８、５０を画定する。さらに、パターニングは、ブラジャーの首ライン６６を画定する前部取り外し可能部分５２と、後部取り外し可能部分５４を画定する。パターニングは、ブラジャー６０のスタイルによって異なる。例えば、ブラジャー６０を、ストラップレスブラジャーとしてパターニングすることが可能である。さらに、ストラップを、製造プロセス中、後になってから取り付けることが可能である。
【００３３】
ブラジャー６０のアームホール６２、６４は、アームホール６２、６４を画定するパターニングに沿ってニット編みまたは縫合を施すことにより、内層１６と外層１８を結合し、その後、上方胴部分から外部取り外し可能部分４８、５０を取り外すことで形成することができる。次に、上方胴部分１２の内層および外層１６、１８を、ストラップ６８、７０、および首ライン６６の内縁を画定しているパターンに沿って結合し、その後、前部５２と後部５４を取り外して、２層のブラジャー６０を形成することにより、ブラジャー６０の首ライン６６、ストラップ６８、７０を形成できる。ブラジャー６０は、図４中で隠しバンドとして示した固定胸バンド７２を含んでいる。バンド７２は、付近の内部材料７６であり、ブラジャー６０の内側に位置し、外層材料７４によって被覆されているため、同図において隠れた状態に示されている。
【００３４】
胴部分１２、１４に対してさらなる製造工程を施すことが可能であり、このような工程では、胴固定バンド２０、３０の底部縁に沿って下方縁を形成する。例えば、ニット地およびミスパターン技術による、硬質のフラットまたはニット編みしたナイロン織糸供給織と、ニット地とタックステッチの組み合わせ技術を用いたスパンデックス伸縮織糸とを同時に使用して、ブラ底部縁に装飾的なスカラップ縁処理を形成するか、あるいは、さらに別の、平滑にビーズで装飾した縁処理を提供するために、少しだけ折り返した補強部分を形成してもよい。別の製造工程には、各々のブラジャーへのアンダーワイヤの追加、および／または前部留めまたは後部留めの追加が含まれる。
【００３５】
本発明のさらなる実施形態では、未処理布１０は、ブラジャー内に編み込んだテリーループステッチ構造を含むことができる。テリーループは、トルーテリーループまたはモックテリーループであってよい。テリーループを、装用者と接触するように、ブラジャーの内層内部に編み込むことができ、あるいは、ライニング層とカッター層の間に編むことができる。テリーループステッチ構造は、例えば、胸カップ、ストラップ、および／またはブラジャー全体のようなブラジャーの任意部分内に編み込むことができる。こうして、１枚の未処理布から２つのブラジャーを製造することで、テリーループ層を備えた、本質的に３層構成のブラジャーまたは２層構成のブラジャーが出来上がる。テリーループステッチ構造は、実質的に芯となり得る湿度移動性質を備えた、綿、ニット編みマイクロデニールナイロン、または連続的な合成マルチフィラメントニット編みナイロンのような、任意の適した材料から成る吸水性に優れた網糸を含んでいる。
【００３６】
本発明を、特に、その好ましい形態を参照しながら説明してきたが、本発明の精神および範囲から逸脱しない限り、様々な変更が可能であることが明白になるだろう。
【図面の簡単な説明】
【００３７】
【図１】本発明の一実施形態による未処理布の斜視図である。
【図２】図１の上方胴部分の前部を示す斜視図である。
【図３】図１の上方胴部分の後部を示す斜視図である。
【図４】本発明に従って形成した２層ブラジャーの一実施形態の斜視図である。
【図１】
2005526918.tif 000003
【図２】
2005526918.tif 000004
【図３】
2005526918.tif 000005
【図４】
2005526918.tif 000006
【手続補正書】
【提出日】平成17年4月4日(2005.4.4)
【手続補正１】
【補正対象書類名】特許請求の範囲
【補正対象項目名】全文
【補正方法】変更
【補正の内容】
【特許請求の範囲】
【請求項１】
一体型の円形にニット編みした未処理布であって、
胴包囲形状を有する範囲と、
内層と外層とを有し、これら内層と外層とは、第１のニット編み込み固定胸バンドによって接続されている、第１の胴包囲部分と、
内層と外層とを有し、これら内層と外層とは、第２のニット編み込み固定胸バンドによって接続されている、第２の胴包囲部分とを具備し、
前記第１並びに第２の胴包囲部分は、編み込んだ接続材料によって接続されており、この接続材料は、前記編み込み固定胸バンドの反対側に配置されている、一体型の円形にニット編みした未処理布。
【請求項２】
前記第１の固定胸バンドの付近の第１の折り線と、前記第２の固定胸バンドの付近の第２の折り線とをさらに具備する、請求項１に記載の一体型の円形にニット編みした未処理布。
【請求項３】
前記第１並びに第２の折り線は、前記第１並びに第２の固定胸バンド付近の範囲に織糸を追加することで形成されている、請求項２に記載の一体型の円形にニット編みした未処理布。
【請求項４】
前記接続材料は、前記第１並びに第２の胴包囲部分をニット編みしている最中に保持されるニットループを移動することで形成されている、請求項１に記載の一体型の円形にニット編みした未処理布。
【請求項５】
前記接続材料は、１枚の編み込み層である、請求項１に記載の一体型の円形にニット編みした未処理布。
【請求項６】
前記未処理布は、前記接続材料を取り除くことで、２つのブラジャー未処理布に分離可能である、請求項１に記載の一体型の円形にニット編みした未処理布。
【請求項７】
前記第１の胴包囲部分内層と第２の胴包囲部分内層とは、プレーン、ニット、ミス、タック、およびこれらの任意の組み合わせからなる群から選択される１つ以上のニットステッチを使用して形成されている、請求項１に記載の一体型の円形にニット編みした未処理布。
【請求項８】
前記第１の胴包囲部分内層と第２の胴包囲部分内層とは、綿、ナイロン、スパンデックス、およびこれらの任意の組み合わせからなる群から選択される１つ以上の織糸で形成されている、請求項１に記載の一体型の円形にニット編みした未処理布。
【請求項９】
前記第１の胴包囲部分内層と第２の胴包囲部分内層とは、約２０から約１２０デニールの織糸で形成されている、請求項１に記載の一体型の円形にニット編みした未処理布。
【請求項１０】
前記第１の胴包囲部分内層と第２の胴包囲部分内層とはテリーループ構造を有する、請求項１に記載の一体型の円形にニット編みした未処理布。
【請求項１１】
前記第１の胴包囲部分外層と第２の胴包囲部分外層とは、ポリマ、エラストマ、およびこれらの任意の組み合わせからなる群から選択される１つ以上の織糸で形成されている、請求項１に記載の一体型の円形にニット編みした未処理布。
【請求項１２】
前記第１の胴包囲部分外層と第２の胴包囲部分外層とは、約１０から約２００デニールの織糸で形成されている、請求項１に記載の一体型の円形にニット編みした未処理布。
【請求項１３】
前記第１の胴包囲部分外層と第２の胴包囲部分外層とは、プレーン、ニット、ミス、タック、およびこれらの任意の組み合わせからなる群から選択される１つ以上のニットステッチを使用して形成されている、請求項１に記載の一体型の円形にニット編みした未処理布。
【請求項１４】
前記第１の内層と第２の内層とは、サポート範囲を備えており、このサポート範囲は、ステッチ長さを短縮することにより形成されている、請求項１に記載の一体型の円形にニット編みした未処理布。
【請求項１５】
前記範囲は、折り返した補強部分である、請求項１に記載の一体型の円形にニット編みした未処理布。
【請求項１６】
胴包囲形状を有する一体型の円形にニット編みした未処理布を形成する方法であって、この方法は、
第１の編み込み固定胸バンドによって接続された内層と外層とを有する第１の胴包囲部分をニット編みする工程と、
第２の編み込み固定胸バンドによって接続された内層と外層とを有する第２の胴包囲部分をニット編みする工程と、
接続材料をニット編みする工程とを具備し、この接続材料は、前記第１並びに第２の編み込み固定胸バンドとは反対側に配置されており、前記接続材料は、前記第１並びに第２の胴包囲部分をニット折りしている最中に保持されたニットループを移動することで形成される、方法。
【請求項１７】
胴を包囲する形状を有する、１枚の一体型の円形にニット編みした未処理布から１対の２層ブラジャーを形成する方法であって、この方法は、
第１の編み込み固定胸バンドによって接続された内層と外層を有する第１の胴包囲部分をニット編みする工程と、
第２の編み込み固定胸バンドによって接続された内層と外層を有する第２の胴包囲部分をニット編みする工程と、
接続材料をニット編みする工程とを具備し、この接続材料は、前記第１並びに第２の編み込み固定胸バンドとは反対側に配置されており、前記接続材料は、前記第１並びに第２の胴包囲部分をニット折りしている最中に保持されたニットループを移動することで形成され、
前記第１の胴包囲部分の内層および外層を共に折り込む工程と、
前記第２の胴包囲部分の内層および外層を共に折り込む工程とをさらに具備する方法。
【請求項１８】
首ラインとアームホールを画定する２本の右ストラップ部分と２本の左ストラップ部分を形成するために、前記第１の胴包囲部分の範囲と、さらに、首ラインとアームホールを画定する２本の右ストラップ部分と、２本の左ストラップ部分を形成するために、前記第２の胴包囲部分の範囲とを切断および取り除く工程と、
前記１および第２の胴包囲部分の前記２本の右ストラップ部分を、その末端部にて結合し、また、前記第１並びに第２の胴包囲部分の前記２本の左ストラップ部分を、その末端部にて結合する工程と、
前記編み込んだ接続材料に沿って、前記第２の胴包囲部分から前記第１の胴包囲部分を分離する工程とをさらに具備する、請求項１７に記載の１対の２層ブラジャーを形成する方法。
【請求項１９】
１枚の一体型の円形にニット編みした未処理布から形成した１対の２層ブラジャーであって、
内層と外層とを有し、これら内層と外層は、第１のニット編み込み固定胸バンドによって結合されている、第１の胴包囲部分と、
内層と外層とを有し、これら内層と外層は、第２のニット編み込み固定胸バンドによって結合されている、第２の胴包囲部分とを具備し、
前記第１並びに第２の胴包囲部分は、編み込んだ接続材料によって結合されており、この接続材料は、前記編み込み固定胸バンドの反対側に配置されており、前記１対のブラジャーは、前記接続材料に沿って切断することにより、前記未処理布から分離可能であり、
前記第１の胴包囲部分は、前記ブラジャーの対の第１のブラジャーを形成し、さらに、
前記第２の胴包囲部分は、前記ブラジャーの対の第２のブラジャーを形成する、一体型の円形にニット編みした未処理布。
【請求項２０】
前記ブラジャーの対のうち少なくとも１つのブラジャーは、前記内層と外層のうち少なくとも１つの上にテリーループステッチ構造を有する、請求項１９に記載のブラジャー。
【請求項２１】
前記ブラジャーの対のうち少なくとも１つは、少なくとも１つのサポート範囲を有する、請求項１９に記載のブラジャー。
【請求項２２】
前記少なくとも１つのサポート範囲は、短縮されたステッチを有する、請求項１９に記載のブラジャー。
【請求項２３】
前記ブラジャーの各々は、前記固定胸バンドの付近に折り線を有する、請求項１９に記載のブラジャー。
【請求項２４】
前記折り線は、前記固定胸範囲付近の範囲に織糸を追加することで形成されている、請求項２３に記載のブラジャー。
【請求項２５】
前記接続材料は、１枚の編み込み層である、請求項１９に記載のブラジャー。
【請求項２６】
前記第１の胴包囲部分内層と前記第２の胴包囲部分内層とは、プレーン、ニット、ミス、タック、およびこれらの任意の組み合わせからなる群から選択される１つ以上のニットステッチを使用して形成されている、請求項１９に記載のブラジャー。
【請求項２７】
前記第１の胴包囲部分内層と前記第２の胴包囲部分内層とは、綿、ナイロン、スパンデックス、およびこれらの任意の組み合わせからなる群から選択される１つ以上の織糸で形成されている、請求項１９に記載のブラジャー。
【請求項２８】
前記第１の胴包囲部分外層と第２の胴包囲部分外層とは、ポリマ、エラストマ、およびこれらの任意の組み合わせからなる群から選択される１つ以上の織糸で形成されている、請求項１９に記載のブラジャー。
【請求項２９】
前記第１の胴包囲部分外層と第２の胴包囲部分外層とは、プレーン、ニット、ミス、タック、およびこれらの任意の組み合わせからなる群から選択される１つ以上のニットステッチを使用して形成されている、請求項１９に記載のブラジャー。
【国際調査報告】
2005526918.tif 000007